(57)【要約】【課題】特にＧＨｚ帯域において、ノイズの反射を防止し、ノイズ電流を吸収するノイズ吸収磁性体コアを提供する。【解決手段】中空部を有し、前記中空部にケーブル３を包含するノイズ吸収磁性体コアであって、前記ノイズ吸収磁性体コアは、両側にある、長手方向に対して外壁が傾斜する傾斜領域部分１０ａ，１０ｃと、中間断面部分１０ｂとが合体した形状であるノイズ吸収磁性体コアであって、前記傾斜領域部分１０ａ，１０ｃの長手方向の長さは、ノイズの波長をλとした場合、両側の傾斜領域部分について、各々λ／３００以上の長さに設定され、好ましくは１．０ｍｍ以上の長さに設定されたノイズ吸収磁性体コアとする。【選択図】  図１
2005056913.tif 000002
【特許請求の範囲】
【請求項１】
中空部を有し、前記中空部にケーブルを包含するノイズ吸収コアであって、前記ノイズ吸収コアは、両側にある、長手方向に対して外壁が傾斜する傾斜領域部分と、中間部にある少なくとも前記傾斜領域部分の最大断面積以上の断面積を有する部分とが合体した形状であることを特徴とするノイズ吸収磁性体コア。
【請求項２】
前記傾斜領域部分のケーブル長手方向に投影した長さは、ノイズの波長をλとした場合、両側の傾斜領域部分について、各々、λ／３００以上の長さに設定されたことを特徴とする請求項１に記載のノイズ吸収磁性体コア。
【請求項３】
前記傾斜領域部分の長さは、１．０ｍｍ以上の長さに設定されたことを特徴とする請求項２に記載のノイズ吸収磁性体コア。
【請求項４】
前記傾斜領域部分のノイズ吸収磁性体コアの両端部分の肉厚の寸法は、３．０ｍｍ以下であることを特徴とする請求項１ないし３のいずれかに記載のノイズ吸収磁性体コア。
【請求項５】
前記両端部分の肉厚の寸法は、０．３ｍｍ以下とすることを特徴とする請求項４に記載のノイズ吸収磁性体コア。
【請求項６】
前記ノイズ吸収磁性体コアは、一体形状であることを特徴とする請求項１ないし５のいずれかに記載のノイズ吸収磁性体コア。
【請求項７】
前記ノイズ吸収磁性体コアは、ほぼ２分割の磁性体コアが、組み合わされて構成されたことを特徴とする請求項１ないし５のいずれかに記載のノイズ吸収磁性体コア。
【請求項８】
前記ノイズ吸収磁性体コアの材質は、フェライト系の材質であることを特徴とする請求項１ないし７のいずれかに記載のノイズ吸収磁性体コア。
【請求項９】
前記ノイズ吸収磁性体コアの材質は、金属粒子と樹脂との混合による材質であることを特徴とする請求項１ないし７のいずれかに記載のノイズ吸収磁性体コア。
【発明の詳細な説明】
【０００１】
【発明の属する技術分野】
本発明は、主としてＧＨｚ帯域のノイズ対策に好適な、ノイズ吸収磁性体コアに関する。
【０００２】
【従来の技術】
図７は、従来のノイズ吸収磁性体コアの説明図である。ノイズ吸収磁性体コア５は、円筒形状であって、中空部にケーブル３が貫通され、また前記ノイズ吸収磁性体コア５の端面は、ほぼ直角になっている。非特許文献には、ノイズ吸収磁性体コアのノイズ吸収の作用について記載されている。
【０００３】
【非特許文献】
平成８年２月発行、ＥＭＣ概論、Ｐ３２６〜Ｐ３２９、著者：佐藤利三郎、出版社：ミマツデータシステム
【０００４】
ここで、図５は、従来のノイズ吸収磁性体コアの使用範囲の説明図である。従来は、ノイズ吸収磁性体コアを、透磁率μ’の範囲で使用し、ノイズ吸収磁性体コア５を、ノイズ周波数帯域において、高インピーダンスの磁性体コアとして、ノイズを反射させて、これによりノイズ対策としていた。
【０００５】
【発明が解決しようとする課題】
従来のノイズ吸収磁性体コアは、以下の問題点があった。ノイズ吸収磁性体コアをノイズ周波数帯域がＧＨｚ帯域となる領域で使用すると、ノイズ吸収磁性体コアとケーブルとの間の空隙の影響が現れて、ノイズ吸収磁性体コア自身のインピーダンスの効果が低減し、または、ノイズ吸収磁性体コア５の端面部分がケーブルの長さ方向と垂直であるために、急激なインピーダンスが加わり、これにより不要なノイズの反射が生じていた。
【０００６】
本発明の目的は、特にＧＨｚ帯域において、ノイズの反射を防止し、ノイズ電流を吸収するノイズ吸収磁性体コアを提供することである。
【０００７】
【課題を解決するための手段】
本発明のノイズ吸収磁性体コアは、中空部を有し、前記中空部にケーブルを包含するノイズ吸収コアであって、その形状を、両側にある、長手方向に対して外壁が傾斜する傾斜領域部分と、中間部にある部分とが合体した形状とするものである。
【０００８】
ここで、前記傾斜領域部分のケーブル長手方向に投影した長さは、ノイズの波長をλとした場合、両側の傾斜領域部分について、各々、λ／３００以上の長さに設定する。
【０００９】
即ち、本発明は、中空部を有し、前記中空部にケーブルを包含するノイズ吸収コアであって、前記ノイズ吸収コアは、両側にある、長手方向に対して外壁が傾斜する傾斜領域部分と、中間部にある少なくとも前記傾斜領域部分の最大断面積以上の断面積を有する均一断面部分とが合体した形状であるノイズ吸収磁性体コアである。
【００１０】
また、本発明は、前記傾斜領域部分の長手方向の長さは、ノイズの波長をλとした場合、両側の傾斜領域部分について、それぞれλ／３００以上の長さに設定され、好ましくは１．０ｍｍ以上の長さに設定されたノイズ吸収磁性体コアである。
【００１１】
また、本発明は、前記傾斜領域部分のノイズ吸収磁性体コアの両端部分の肉厚の寸法は、３．０ｍｍ以下であり、好ましくは０．３ｍｍ以下とするノイズ吸収磁性体コアである。
【００１２】
また、本発明は、前記ノイズ吸収磁性体コアは、一体形状であるノイズ吸収磁性体コアである。
【００１３】
また、本発明は、前記ノイズ吸収磁性体コアは、ほぼ２分割のコアの合わせによって構成されたノイズ吸収磁性体コアである。
【００１４】
また、本発明は、前記ノイズ吸収磁性体コアの材質は、フェライト系の材質であるノイズ吸収磁性体コアである。
【００１５】
また、本発明は、前記ノイズ吸収磁性体コアの材質は、金属粒子と樹脂との混合による材質であるノイズ吸収磁性体コアである。
【００１６】
【発明の実施の形態】
本発明の実施の形態によるノイズ吸収磁性体コアについて、以下に説明する。
【００１７】
（実施の形態１）
図１は、本発明の実施の形態１のノイズ吸収磁性体コアの説明図である。また、図２は、図１のノイズ吸収磁性体コアの長手方向の断面図である。
【００１８】
図１のノイズ吸収磁性体コア１は、ケーブル３が貫通する中空穴が設けられており、傾斜領域部分１０ａ、中間断面部分１０ｂ、傾斜領域部分１０ｃが合体した構造となっている。ここで、  傾斜領域部分１０ａのケーブル長手方向へ投影した長さはＬ１、中間断面部分１０ｂのケーブル長手方向の長さはＬ２、傾斜領域部分１０ｃのケーブル長手方向へ投影した長さはＬ３である。
【００１９】
前記ノイズ吸収磁性体コアの材質は、ＭｎＺｎ系フェライト等の材質か、あるいは金属粒子と樹脂との混合による材質が選択される。
【００２０】
図５は、本発明のノイズ吸収磁性体コアの使用範囲の説明図である。本発明のノイズ吸収磁性体コアは、ＭｎＺｎ系フェライト、あるいは金属粒子と樹脂との混合による材質を使用し、ＧＨｚ帯域においてμ”の大きな領域を使用する。前記μ”の大きな領域は、ノイズを、磁気損失によって吸収する領域である。
【００２１】
図６は、本発明の実施の形態のノイズ吸収磁性体コアの傾斜領域部分の長さと反射損失との特性図である。傾斜領域部分のケーブル長手方向の投影長さを、ノイズの波長をλとした場合、図６より、傾斜領域部分のケーブル長手方向の投影長さが、１／３００λ以下の長さにて反射損失Ｓ１１が、約−１５ｄＢ以下に抑制されていることが判る。従って、両側の傾斜領域部分について、各々λ／３００以上の長さに設定する（Ｌ１，Ｌ３＞λ／３００）。傾斜領域部分をこのように設定することによって、ノイズがインピーダンス変化の影響を受けないので、反射損失が著しく軽減される。
【００２２】
なお、Ｌ１，Ｌ３の長さは、各々λ／３００以上の長さであって、好ましくは１．０ｍｍ以上に設定される。Ｌ１，Ｌ３が長いほどインピーダンス変化の影響が軽減される。また、傾斜領域部分１０ａ，１０ｃのケーブル３との接触するコアの両端部分６の断面の肉厚は３．０ｍｍ以下、好ましくは０．３ｍｍ以下に設定される。
【００２３】
（実施の形態２）
図３は、本発明の実施の形態２のノイズ吸収磁性体コアの説明図である。図４は、図３のノイズ吸収磁性体コアの分解斜視図である。
【００２４】
図３のノイズ吸収磁性体コア４は、略半円筒形状の２分割されたノイズ吸収磁性体コア  ２ａ，３ａが、磁性体コア合わせ部分５０にて密着されて形成されている。
【００２５】
前記ノイズ吸収磁性体コアの材質は、ＭｎＺｎ系フェライト等の材質か、あるいは金属粒子と樹脂との混合による材質が選択される。
【００２６】
ここで、実施の形態２のノイズ吸収磁性体コアの使用方法およびその効果は、先の実施の形態１のノイズ吸収磁性体コアと同様である。再度、以下に説明する。
【００２７】
図５は、実施の形態２のノイズ吸収磁性体コアの使用範囲の説明図である。ノイズ吸収磁性体コアに使用される領域は、ＧＨｚ帯域におけるμ”が大きな領域である。前記μ”が大きな領域は、ノイズを渦電流等によって吸収する領域である。
【００２８】
図６は、実施の形態２のノイズ吸収磁性体コアの傾斜領域部分の長さと反射損失との特性図である。傾斜領域部分のケーブル長手方向の投影長さは、ノイズの波長をλとした場合、両側の傾斜領域部分について、各々λ／３００以上の長さに設定されている。傾斜領域部分によって、ノイズがゆるやかにインピーダンス増加の影響を受け、そのために反射損失が著しく軽減される。
【００２９】
図６より、傾斜領域部分のケーブル長手方向の投影長さを１／３００λ以上の長さに設定することにより、反射損失Ｓ１１が、約−１５ｄＢ以下に抑制されることが判る。
【００３０】
なお、本発明のノイズ吸収磁性体コアの外形は、図１、図３の円筒型に限られるものではなく、多角形形状、その他の形状でも、同様の効果が得られる。
【００３１】
また、傾斜領域部分は、コアの両端部分から中間断面部まで、ゆるやかにインピーダンスが増加するように設けるものであるので、傾斜のラインは、直線状だけに限らず、円弧状、階段状であっても、同様の効果が得られる。
【００３２】
【発明の効果】
本発明によれば、特にＧＨｚ帯域において、ノイズの反射を防止し、ノイズ電流を吸収するノイズ吸収磁性体コアを提供できる。
【図面の簡単な説明】
【図１】本発明の実施の形態１のノイズ吸収磁性体コアの説明図。
【図２】図１のノイズ吸収磁性体コアの断面図。
【図３】本発明の実施の形態２のノイズ吸収磁性体コアの説明図。
【図４】図３のノイズ吸収磁性体コアの分解斜視図。
【図５】本発明と従来のノイズ吸収磁性体コアの使用範囲の説明図。
【図６】本発明の実施の形態のノイズ吸収磁性体コアの傾斜領域部分の長さと反射損失との特性図。
【図７】従来のノイズ吸収磁性体コアの説明図。
【符号の説明】
１，４，５    ノイズ吸収磁性体コア
２ａ，３ａ    ２分割されたノイズ吸収磁性体コア
３    ケーブル
６    両端部分
１０ａ，１０ｃ，２０ａ，２０ｃ，３０ａ，３０ｃ    傾斜領域部分
１０ｂ，２０ｂ，３０ｂ    中間断面部分
５０    磁性体コア合わせ部分
【図１】
2005056913.tif 000003
【図２】
2005056913.tif 000004
【図３】
2005056913.tif 000005
【図４】
2005056913.tif 000006
【図５】
2005056913.tif 000007
【図６】
2005056913.tif 000008
【図７】
2005056913.tif 000009